(57)【要約】【課題】  顔痩、バストアップ、ウエストのシェイプアップ、ヒップアップなどに役立つ治療用テープおよび本治療用テープを用いた巻回構造を提供する。【解決手段】  本治療用テープ１は、色付き生地本体１０と粘着剤の層１１とを備えている。本治療用テープ１は、手の指に福数回巻き付けられて、顔痩、バストアップ、ウエストのシェイプアップ、ヒップアップおよび／または脚のシェイプアップに用いられる。本本治療用テープ１の前記生地１０は、天然の綿布からなり、幅Ｗが2.0mm 〜7.0mm で、長さＬが10cm〜30cmに設定されていることを特徴とする。【選択図】        図１
0003113805.tif 000002
【実用新案登録請求の範囲】
【請求項１】
色付き生地本体と粘着剤の層とを備え、手の指に複数回巻き付けられて、顔痩、バストアップ、ウエストのシェイプアップ、ヒップアップまたは脚のシェイプアップに役立つ治療用テープであって、
前記生地が天然の綿布からなり、幅が2.0mm 〜7.0mm で、長さが10cm〜30cmに設定されている治療用テープ。
【請求項２】
請求項１の治療用テープを用いた、テープによる巻回構造であって、
親指の付け根から先端に向って、末節骨の部分を除き、螺旋状に黄色のテープと黒色のテープとが前記親指に交互に巻回されてなる巻回構造。
【請求項３】
請求項１の治療用テープを用いた、テープによる巻回構造であって、
第２指の第２関節から当該第２指の付け根に向って、基節骨に対応する前記第２指の部分に、螺旋状に黄色のテープが前記第２指に巻回されてなる巻回構造。
【請求項４】
請求項１の治療用テープを用いた、テープによる巻回構造であって、
中指の第１関節から第２関節に向って、中節骨および基節骨に対応する前記中指の部分に、螺旋状に前記中指に巻回された黄色のテープと、
薬指の第２関節から当該薬指の付け根に向って、中節骨および基節骨に対応する前記薬指の部分に、螺旋状に前記薬指に巻回された黒色のテープとからなる巻回構造。
【請求項５】
請求項１の治療用テープを用いた、テープによる巻回構造であって、
小指の第１関節から当該小指の付け根に向って、中節骨から基節骨に対応する前記小指の部分に、螺旋状に黄色のテープが前記小指に巻回されてなる巻回構造。
【請求項６】
請求項１の治療用テープを用いた、テープによる巻回構造であって、
小指の第２関節から当該小指の付け根に向って、基節骨に対応する前記小指の部分に、螺旋状に黄色のテープが前記小指に巻回されてなる巻回構造。
【考案の詳細な説明】
【技術分野】
【０００１】
本考案は、手の指に巻き付けて痩身などを行う治療用テープに関するものである。
【背景技術】
【０００２】
従来より、患部に貼着して刺激を与える治療用テープが提案されている（特許文献１〜３）。
【特許文献１】特開２００２−２３３５４５（要約）
【特許文献２】特開２００２−２３８９４４（要約）
【特許文献３】特開２００４−１４８０９８（要約）
【考案の開示】
【考案が解決しようとする課題】
【０００３】
この種の従来の治療用テープは、患部の痛みを緩和するなどの目的に用いられており、痩身やシェイプアップなどの効果を目的としたものではない。
【０００４】
本考案の目的は、顔痩、バストアップ、ウエストのシェイプアップ、ヒップアップなどに役立つ治療用テープを提供することである。
【課題を解決するための手段】
【０００５】
前記目的を達成するために、本考案に係る治療用テープは、色付き生地本体と粘着剤の層とを備え、手の指に福数回巻き付けられて、顔痩、バストアップ、ウエストのシェイプアップ、ヒップアップおよび脚のシェイプアップに役立つ治療用テープであって、前記生地が天然の綿布からなり、幅が2.0mm 〜7.0mm で、長さが10cm〜30cmに設定されていることを特徴とする。
【考案の効果】
【０００６】
ここで、従来より、指には、身体の各部に対応する経穴（以下の説明では、ツボという）が集まっていることが知られている。
一方、色付き生地は、様々な色彩固有の波動（振動エネルギー）を発生させて、自律神経に作用し、前記ツボおよびその周辺の部位の血液やリンパ液などの流れを良くするように働く。たとえば、黄色は、消化器機能と筋肉への信号を発する。また、黒色は、排泄機能と骨格への信号を発する。
したがって、本治療用テープを身体の各部に対応する指の部分に巻回することで、色彩の作用により種々の痩身効果やシェイプアップ効果を得ることができる。
【０００７】
本考案においては、以下に示す巻回構造を用いることにより、本治療用テープが巻回された手の部位に応じて、当該手のツボに対応する身体の各部に対して痩身効果やシェイプアップ効果を得ることができる。
【実施例１】
【０００８】
以下、本考案に係る治療用テープの一実施例を図面にしたがって説明する。
図１は、本考案に係る治療用テープの実施例を示す概略斜視図である。
図１に示す本治療用テープ１は、色付き生地本体１０と粘着剤の層１１とを備えており、複数本が台紙２に貼着された状態で販売される。
【０００９】
本治療用テープ１は、たとえば、その幅Ｗが3.0mm 〜5.0mm(約4mm 程度) に設定されており、その長さＬが約20cm程度に設定されている。
前記色付き生地本体１０は、天然の綿布からなり、種々の色彩に着色されたものを用いることができる。以下の説明では、黒色と黄色を用いた場合について例示して説明する。
【００１０】
色付き生地本体１０は、その着色された色彩に応じて、様々な色彩固有の波動（振動エネルギー）を発生させて、自律神経に作用し、ツボおよびその周辺の部位の血液やリンパ液などの流れを良くするように働く。
たとえば、黄色は、消化器機能と筋肉への信号を発する。黒色は、排泄機能と骨格への信号を発する。
【００１１】
一方、指には、身体の各部に対応する経穴（ツボ）が集まっているので、当該ツボに前記本治療用テープ１を貼着することにより、色彩による作用を用いて身体の各部のシェイプアップ効果を得ることができる。
【００１２】
つぎに、本治療用テープ１を用いた巻回構造と、かかる巻回構造を採用した場合における痩身効果およびシェイプアップ効果について、図２および図３を用いて説明する。図２Ａ〜Ｅは本治療用テープ１の巻回構造を示す左手の正面図である。図３は、手の骨の各部の名称を示している。
なお、本巻回構造は両手に用いるが、以下の説明では左手を例示している。また、色彩による作用であるので、巻き方の強弱に影響されないため、指先が自由に使えるように軽く巻くのが好ましい。
【００１３】
顔痩せ・顎痩せ：
顔痩せや顎痩せの効果を得るには、図２Ａに示すように、親指Ｆ１の付け根から先端に向って螺旋状に黄色のテープ１Ｙと黒色のテープ１Ｂとを交互に巻回する。両テープ１Ｙ，１Ｂは、図３に示す末節骨ＥＢの部分を除いた親指Ｆ１の周囲に巻回される。なお、前記両テープ１Ｙ，１Ｂの巻き方としては、図２Ａの矢印で示すように、親指Ｆ１の付け根から小指Ｆ５側に向って巻回する。
【００１４】
バストアップ・二の腕痩せ：                                                      バストアップや二の腕痩せの効果を得るには、図２Ｂに示すように、示指Ｆ２の第２関節Ｊ２から付け根に向って螺旋状に、黄色のテープ１Ｙを巻回する。したがって、前記黄色のテープ１Ｙは、図３に示す示指Ｆ２の基節骨ＦＢに対応する部分に巻回される。なお、前記黄色のテープ１Ｙは、図２Ｂの矢印で示すように、示指Ｆ２の第２関節Ｊ２から付け根まで小指Ｆ５側に向って巻回する。
【００１５】
腹部の痩身：                                                                    腹部の痩身効果を得るには、図２Ｃに示すように、中指Ｆ３の第１関節Ｊ１から第２関節Ｊ２に向って、螺旋状に黄色のテープ１Ｙを巻回する。一方、薬指Ｆ４の第２関節Ｊ２から当該薬指Ｆ４の付け根に向って、螺旋状に黒色のテープ１Ｂを巻回する。
したがって、前記黄色のテープ１Ｙは、図３に示す中指Ｆ３の中節骨ＭＢから基節骨ＦＢに対応する部分に巻回される。一方、黒色のテープ１Ｂは、薬指Ｆ４の基節骨ＦＢに対応する部分に巻回される。
なお、前記黄色のテープ１Ｙは、図２Ｃの矢印で示すように、中指Ｆ３の第１関節Ｊ１から第２関節Ｊ２にかけて親指Ｆ１側に向って巻回する。また、前記黒色のテープ１Ｂは、図２Ｃの矢印で示すように、薬指Ｆ４の第２関節Ｊ２から付け根まで親指Ｆ１側に向って巻回する。
【００１６】
太ももの痩身・ふくらはぎの痩身：
太ももやふくらはぎの痩身効果を得るには、図２Ｄに示すように、小指Ｆ５の第１関節Ｊ１から当該小指Ｆ５の付け根に向って、螺旋状に黄色のテープ１Ｙを巻回する。したがって、前記黄色のテープ１Ｙは、図３に示す小指Ｆ５の中節骨ＭＢから基節骨ＦＢに対応する部分に巻回される。なお、前記黄色のテープ１Ｙは、図２Ｄの矢印で示すように、小指Ｆ５の第１関節Ｊ１から付け根まで親指Ｆ１側に向って巻回する。
【００１７】
ヒップアップ効果：
ヒップアップ効果を得るには、図２Ｅに示すように、小指Ｆ５の第２関節Ｊ２から当該小指Ｆ５の付け根に向って、螺旋状に黄色のテープ１Ｙを前記小指Ｆ５に巻回する。前記黄色のテープ１Ｙは、小指Ｆ５の基節骨ＦＢに対応する部分に巻回される。なお、前記黄色のテープ１Ｙは、図２Ｅの矢印で示すように、小指Ｆ５の第２関節Ｊ２から付け根まで親指Ｆ５側に向って巻回する。
【産業上の利用可能性】
【００１８】
本治療用テープは、顔痩、バストアップ、ウエストのシェイプアップ、ヒップアップなど身体の痩身行為に適用することができる。
【図面の簡単な説明】
【００１９】
【図１】本考案に係る治療用テープの一実施例を示す斜視図である。
【図２】同テープの巻回構造を示す左手の正面図である。
【図３】手の骨名を示す正面図である。
【符号の説明】
【００２０】
１：治療用テープ
１Ｂ：黒色のテープ
１Ｙ：黄色のテープ
１０：色付き生地本体
１１：粘着剤の層
ＥＢ：末節骨
ＦＢ：基節骨
Ｆ１：親指
Ｆ２：示指
Ｆ３：中指
Ｆ４：薬指
Ｆ５：小指
Ｊ１：第１関節
Ｊ２：第２関節
ＭＢ：中節骨
【図１】
0003113805.tif 000003
【図２】
0003113805.tif 000004
【図３】
0003113805.tif 000005
【手続補正書】
【提出日】平成17年7月6日(2005.7.6)
【手続補正１】
【補正対象書類名】実用新案登録請求の範囲
【補正対象項目名】全文
【補正方法】変更
【補正の内容】
【実用新案登録請求の範囲】
【請求項１】
色付き生地本体と粘着剤の層とを備え、手の指に複数回巻き付けられて、顔痩、バストアップ、ウエストのシェイプアップ、ヒップアップまたは脚のシェイプアップに役立つ治療用テープであって、
前記生地が天然の綿布からなり、幅が2.0mm 〜7.0mm で、長さが10cm〜30cmに設定されている治療用テープ。
【請求項２】
請求項１の治療用テープであって、
親指の付け根から先端に向って、末節骨の部分を除き、螺旋状に前記親指に交互に巻回可能な長さと幅を有する黄色のテープと黒色のテープとからなる治療用テープ。
【請求項３】
請求項１の治療用テープであって、
第２指の第２関節から当該第２指の付け根に向って、基節骨に対応する前記第２指の部分に、螺旋状に前記第２指に巻回可能な長さと幅を有する黄色のテープからなる治療用テープ。
【請求項４】
請求項１の治療用テープであって、
中指の第１関節から第２関節に向って、中節骨および基節骨に対応する前記中指の部分に、螺旋状に前記中指に巻回可能な長さと幅を有する黄色のテープと、
薬指の第２関節から当該薬指の付け根に向って、中節骨および基節骨に対応する前記薬指の部分に、螺旋状に前記薬指に巻回可能な長さと幅を有する黒色のテープとからなる治療用テープ。
【請求項５】
請求項１の治療用テープであって、
小指の第１関節から当該小指の付け根に向って、中節骨から基節骨に対応する前記小指の部分に、螺旋状に前記小指に巻回可能な長さと幅を有する黄色のテープからなる治療用テープ。
【請求項６】
請求項１の治療用テープであって、
小指の第２関節から当該小指の付け根に向って、基節骨に対応する前記小指の部分に、螺旋状に前記小指に巻回可能な長さと幅を有する黄色のテープからなる治療用テープ。